(57)【要約】【課題】経験や知識が乏しい施術者でも、患者が不調を感じている部位を的確に把握することを可能とする施術支援システムを提供する。【解決手段】入力部と表示部を備える情報処理装置と、この情報処理装置と相互に通信可能に接続されたサーバを含む施術支援システムであって、情報処理装置は、人体を模式的に表す人体図と、人体図において人体の各部位を表す部位マークとを、サーバから取得するデータを用いて表示部に表示させる手段と、表示部に表示された人体図の各部位の中から患者の不調に対応する第１部位が入力部を用いて選択されたときに、当該選択された第１部位に関連する不調パターンの一覧を、サーバから取得するデータを用いて表示部に表示させる手段を備える。【選択図】  図１
2019079515.tif 000002
【特許請求の範囲】
【請求項１】
入力部と表示部を備える情報処理装置と、
前記情報処理装置と相互に通信可能に接続されたサーバと、
を含み、
前記情報処理装置は、
人体を模式的に表す人体図と、前記人体図における前記人体の各部位を表す部位マークとを、前記サーバから取得するデータを用いて前記表示部に表示させる手段と、
前記表示部に表示された前記人体図の各部位の中から患者の不調に対応する部位が前記入力部を用いて選択されたときに、当該選択された部位に関連する不調パターンの一覧を、前記サーバから取得するデータを用いて前記表示部に表示させる手段と、を備える、
施術支援システム。
【請求項２】
前記情報処理装置は、
前記不調パターンの一覧の中から前記患者の不調に対応する前記不調パターンが前記入力部を用いて選択されたときに、当該選択された不調パターンに対応する自覚筋の情報と、前記自覚筋に関連する筋である関連筋の情報と、前記自覚筋に関連する動作の情報と、前記自覚筋に関連する理学検査の情報のうちの少なくとも１つの情報を、前記サーバから取得するデータを用いて前記表示部に表示させる手段を更に備える、
請求項１に記載の施術支援システム。
【請求項３】
前記情報処理装置は、
前記自覚筋の情報、前記関連筋の情報、前記動作の情報、前記理学検査の情報の少なくとも１つに対応付けられたリンクマークが前記入力部を用いて選択された場合に、その選択されたリンクマークに対応付けられた追加情報を表示する手段を更に備える、
請求項２に記載の施術支援システム。
【請求項４】
前記情報処理装置は、
前記理学検査の結果の入力を受けて前記患者の１つ以上の急性部位の候補を前記表示部に表示させる手段と、
前記１つ以上の急性部位の候補の中から選択された急性部位に基づいてレセプト情報を生成する手段と、を更に備える、
請求項２又は３に記載の施術支援システム。
【請求項５】
前記情報処理装置は、
前記理学検査の結果の入力を受けて前記患者の１つ以上の急性部位の組合せ候補の一覧を前記表示部に表示させる手段と、
前記組合せ候補の一覧の中から何れかが選択されたときに、当該選択された組合せ候補に基づいてレセプト情報を生成する手段と、を更に備える、
請求項２又は３に記載の施術支援システム。
【請求項６】
前記情報処理装置は、
前記理学検査の結果の入力を受けて前記患者の１つ以上の急性部位の候補の中から所定の基準に従ってレセプト対象とする前記急性部位を選択し、当該選択した急性部位に基づいてレセプトを生成する手段と、を更に備える、
請求項２又は３に記載の施術支援システム。
【請求項７】
入力部と表示部を備える情報処理装置を用いて構成される施術支援装置であって、
人体を模式的に表す人体図と、前記人体図における前記人体の各部位を表す部位マークとを前記表示部に表示させる手段と、
前記表示部に表示された前記人体図の各部位の中から患者の不調に対応する第１部位が前記入力部を用いて選択されたときに、当該選択された第１部位に関連する不調パターンの一覧を前記表示部に表示させる手段と、
を備える、施術支援装置。
【請求項８】
入力部、表示部及び制御部を備えた情報処理装置を用いる施術支援方法であって、
前記制御部が、人体を模式的に表す人体図と、前記人体図における前記人体の各部位を表す部位マークとを前記表示部に表示させるステップと、
前記制御部が、前記表示部に表示された前記人体図の各部位の中から患者の不調に対応する第１部位が前記入力部を用いて選択されたときに、当該選択された第１部位に関連する不調パターンの一覧を前記表示部に表示させるステップと、
を含む、施術支援方法。
【請求項９】
入力部、表示部及び制御部を備えた情報処理装置において当該制御部に実行されるプログラムであって、
人体を模式的に表す人体図と、前記人体図における前記人体の各部位を表す部位マークとを前記表示部に表示させるステップと、
前記制御部が、前記表示部に表示された前記人体図の各部位の中から患者の不調に対応する第１部位が前記入力部を用いて選択されたときに、当該選択された第１部位に関連する不調パターンの一覧を前記表示部に表示させるステップと、
を前記制御部に実行させる、プログラム。
【発明の詳細な説明】
【技術分野】
【０００１】
本発明は、例えば整骨院・鍼灸院などに来院した患者に対する施術を支援するための技術に関する。
【背景技術】
【０００２】
従来、整骨院等においては、来院した患者の捻挫、打撲、挫傷、脱臼等による痛みの部位を診察し、手技療法、ストレッチ等の施術を患者に施すことにより、患者の痛みの症状を軽減し治癒することが行われている。また、鍼灸院等においては、来院した患者の神経痛、リウマチ、腰痛症等による痛みの部位を診察し、手技療法、ストレッチ等の施術を患者に施すことにより、患者の痛みの症状を軽減し治癒することが行われている。
【０００３】
しかしながら、施術者は、患者が訴える主観的な症状をヒヤリングするのみでは、痛みの部位、及び痛みの原因となっている筋を的確に把握することが難しい場合がある。また、各施術者の知識や経験には差があり、例えば経験の浅い施術者が患者の症状を的確に把握して適切な施術を行うのは難しい。
【０００４】
なお、関連し得る先行技術の一例として、特開２００２−２８８３４０号公報（特許文献１）には、医療の経験や知識の乏しい者であっても医療の知識を利用できるようにする技術として、症状及び処方のデータベースを用いて、コンピュータにより患者の症状に適した漢方薬の処方を行うことが記載されている。しかし、この先行技術は、漢方薬の的確な処方を実現するという点では有用であると考えられるが、整骨院等における上記の課題に対して有効な解決手段を示すものではない。
【先行技術文献】
【特許文献】
【０００５】
【特許文献１】特開２００２−２８８３４０号公報
【発明の概要】
【発明が解決しようとする課題】
【０００６】
本発明に係る具体的態様は、整骨院・鍼灸院等において、施術者の経験や知識の差に関わらず患者が不調を感じている部位を的確に把握することを可能とする技術を提供することを目的の１つとする。
【課題を解決するための手段】
【０００７】
［１］本発明に係る一態様の施術支援システムは、入力部と表示部を備える情報処理装置と、前記情報処理装置と相互に通信可能に接続されたサーバと、を含み、前記情報処理装置は、（ａ）人体を模式的に表す人体図と、前記人体図における前記人体の各部位を表す部位マークとを、前記サーバから取得するデータを用いて前記表示部に表示させる手段と、（ｂ）前記表示部に表示された前記人体図の各部位の中から患者の不調に対応する部位が前記入力部を用いて選択されたときに、当該選択された部位に関連する不調パターンの一覧を、前記サーバから取得するデータを用いて前記表示部に表示させる手段を備える、施術支援システムである。
［２］本発明に係る他の態様の施術支援装置は、入力部と表示部を備える情報処理装置を用いて構成される施術支援装置であって、（ａ）人体を模式的に表す人体図と、前記人体図における前記人体の各部位を表す部位マークとを前記表示部に表示させる手段と、（ｂ）前記表示部に表示された前記人体図の各部位の中から患者の不調に対応する部位が前記入力部を用いて選択されたときに、当該選択された部位に関連する不調パターンの一覧を前記表示部に表示させる手段を備える、施術支援装置である。
［３］本発明に係る他の態様の施術支援方法は、入力部、表示部及び制御部を備えた情報処理装置を用いる施術支援方法であって、（ａ）前記制御部が、人体を模式的に表す人体図と、前記人体図における前記人体の各部位を表す部位マークとを前記表示部に表示させるステップと、（ｂ）前記制御部が、前記表示部に表示された前記人体図の各部位の中から患者の不調に対応する部位が前記入力部を用いて選択されたときに、当該選択された部位に関連する不調パターンの一覧を前記表示部に表示させるステップを含む、施術支援方法である。
【０００８】
上記した何れかの構成によれば、部位マークにより人体の各部位が区分けされているので、例えばこの部位マークを重ねた人体図を患者にも見せながら確認することにより、患者の不調を感じる部位を容易かつ具体的に特定してその部位を選択することが可能となる。そして、選択された部位に関連する筋である不調パターンの一覧が表示されることで、例えばこの不調パターンの一覧を患者にも見せながら確認することにより、患者が不調を感じている筋を適格に把握することができる。従って、施術者の経験や知識の差に関わらず、患者が不調を感じている部位を的確に把握することが可能となる。
【図面の簡単な説明】
【０００９】
【図１】図１は、本実施形態の施術支援システムの全体構成を示すブロック図である。
【図２】図２は、不調部位選択画像の表示例を示す図である。
【図３】図３は、不調パターン表示画像の表示例を示す図である。
【図４】図４は、不調パターン確認画像の表示例を示す図である。
【図５】図５は、理学検査画像の表示例を示すである。
【図６】図６は、自覚筋リンク情報表示画像の表示例を示すである。
【図７】図７は、関連筋リンク情報画像の表示例を示すである。
【図８】図８は、関連動作リンク情報表示画像の表示例を示すである。
【図９】図９は、関連徒手検査リンク情報表示画像の表示例を示すである。
【図１０】図１０は、検査結果画像の表示例を示すである。
【図１１】図１１は、カルテ画像の表示例を示すである。
【図１２】図１２は、カルテ画像の表示例を示すである。
【図１３】図１３は、カルテ画像の表示例を示すである。
【図１４】図１４は、カルテ画像の表示例を示すである。
【図１５】図１５は、カルテ画像の表示例を示すである。
【図１６】図１６は、急性情報表示画像の表示例を示すである。
【図１７】図１７は、レセプト部位選択画像の表示例を示すである。
【図１８】図１８は、レセプト部位候補選択画像の表示例を示すである。
【図１９】図１９は、外力判断入力画像の表示例を示すである。
【図２０】図２０は、施術支援装置の機能構成を示すブロック図である。
【図２１】図２１は、施術支援システムにおける動作例を示すフローチャートである。
【図２２】図２２は、変形例のる施術支援装置の機能構成を示すブロック図である。
【発明を実施するための形態】
【００１０】
図１は、本実施形態の施術支援システム１の構成を示すブロック図である。同図に示すように、施術支援システム１は、施術支援装置１０と、プリンター２０と、クラウドサーバ３０と、を含んで構成され、施術支援装置１０とクラウドサーバ３０とは無線又は有線の通信ネットワーク４０を介して通信可能に接続されている。施術支援装置１０とプリンター２０とは、無線ＬＡＮ（Local Area Network）又は通信ケーブルによって接続されている。施術支援装置１０及びプリンター２０は整骨院に設置され、クラウドサーバ３０は施術支援システムを運営する事業者の事業所に設置されている。
【００１１】
施術支援装置１０は、例えば可搬性を有するタブレット型の情報処理装置を用いて構成されている。なお、施術支援装置１０は、例えばノート型のパーソナルコンピュータやデスクトップ型のパーソナルコンピュータなどを用いて構成されていてもよい。この施術支援装置１０は、ハードウェアとして、ＣＰＵ（Central Processing Unit）と、メモリ（ＲＯＭ、ＲＡＭ、不揮発性メモリ等）と、ディスプレイと、入出力インターフェース（タッチパネル、スピーカ等）と、通信インターフェースと、を備えている。施術支援装置１０のメモリには、各種データ、プログラム等が記憶されている。
【００１２】
クラウドサーバ３０は、ハードウェアとして、ＣＰＵと、メモリ、ハードディスク等の記憶装置と、通信インターフェースと、を備えている。クラウドサーバ３０の記憶装置には、施術支援装置１０において用いられる各種データのデータベース、施術支援装置１０から送信される患者情報、カルテ情報、レセプト情報等の各種データのデータベース等が記憶されている。クラウドサーバ３０の記憶装置には、以下に説明する各種画像を施術支援装置１０のディスプレイに表示させるために必要なデータが相互に関連付けて格納されている。
【００１３】
図２は、整骨院に来院した患者が人体図の部位の中から不調を感じる部位を選択するための不調部位選択画像の一例を示す図である。図３は、患者の不調部位に関連する筋である不調パターンの一覧が表示される不調パターン表示画像の一例を示す図である。図４は、不調パターン表示画像での選択内容の確認を行うための不調パターン確認画像の一例を示す図である。図３に示す不調パターン表示画像Ｄ３において不調パターン３００が選択された後に右上に表示されている保存ボタン３１が選択されると、図４に示す不調パターン確認画像Ｄ４に遷移する。不調パターン確認画像Ｄ４により表示された不調パターン３００の内容を確認し、患者が不調を感じている不調パターン３００のみが表示されている場合には確定ボタン４１を選択すると後述の図５に示す理学検査画面に遷移する。また、患者が不調を感じていない不調パターン３００が含まれており修正したい場合には、キャンセルボタン４２を選択すれば不調パターン表示画像Ｄ３に戻ることができる。また、不調パターン確認画像Ｄ４においては、優先順位ボタン４３を用いて、不調パターン３００の優先順位を指定することもできる。
【００１４】
図５は、不調パターンの理学検査（徒手検査）を支援する理学検査画像の一例を示す図であり、患者が不調を感じている不調パターン（自覚筋）、自覚筋に関連する筋（関連筋）、自覚筋に関連する動作（関連動作）、自覚筋に関連する徒手検査（関連徒手検査）の各情報５１０、５２０、５３０、５４０（例えば、各々、僧帽筋、胸鎖乳突筋、肩関節挙上、エデンテストが該当する。）が列毎に複数表示されている。この理学検査画像Ｄ５には、不調パターン確認画像Ｄ４において確定ボタン４１が選択されることで遷移する。
【００１５】
図６は、自覚筋に関連する情報を表示する自覚筋リンク情報表示画像の一例を示す図である。図７は、関連筋に関連する情報を表示する関連筋リンク情報表示画像の一例を示す図である。図８は、関連動作に関連する情報を表示する関連動作リンク情報表示画像の一例を示す図である。図９は、関連徒手検査に関連する情報を表示する関連徒手検査リンク情報表示画像の一例を示す図である。
【００１６】
図１０は、患者の検査結果を表示する検査結果画像の一例を示す図である。検査結果画像Ｄ１０には、患者の不調部位毎に、日付、不調パターン、行った徒手検査、痛みの度合い、施した施術に関する情報等が表示される。図１１〜図１５は、カルテ画像の一例を示す図である。図１１〜図１５に示す各カルテ画像は、所定の操作によって表示が遷移する。図１１のカルテ画像Ｄ１１ａには、日付毎及び不調部位毎に、行った徒手検査、患者の痛みの度合いの変化等が表示されている。カルテ画像Ｄ１１ａは、診断日（治療日）が表示され、左側欄には診断結果を示した診断人体図が表示され、右側欄には診断結果をレセプトの対象となる各部位毎に当てはめた置換人体図が表示されている。また図示の例では、理学判定に基づいて、左膝部が強調表示（相対的に濃色の表示）でレコメンドされている。
【００１７】
図１２のカルテ画像Ｄ１１ｂでは、左側欄に診断人体図が表示され、右側欄に診断内容や治療内容が表示され、かつ患者の痛みの度合いの変化がペインスケール１１１で表示されている。図示の例では、ペインスケール１１１は、表情により視覚的に痛みの度合いが認識可能な顔の画像である。図１３のカルテ画像Ｄ１１ｃでは、診断人体図が大きく表示されている（全画面表示）。同様に、図１４のカルテ画像Ｄ１１ｄでは、置換人体図が大きく表示されている（全画面表示）。図１５のカルテ画像Ｄ１１ｅでは、診断人体図の一覧が表示されている。一覧には、主訴、理学検査、ペインスケールの各カテゴリと、不調部位、筋肉の各カテゴリを基準に分類した複数パターンの人体図が表示されている。
【００１８】
図１６は、診断の結果、急性（または亜急性）と判断された部位が表示される急性情報表示画像の一例を示す図である。図１７は、急性と判断された部位の中からレセプト対象とする部位を施術者が手動で１つずつ選択するためのレセプト部位選択画像の一例を示す図である。図１８は、レセプトの対象となる部位の組合せ候補の一覧の中から施術者がレセプト対象とする組合せ候補を選択するためのレセプト部位候補選択画像の一例を示す図である。図１９は、負傷部位に対して加えられた外力が打撃、衝撃、墜落、牽引、圧迫、屈曲、捻転の何れであるかを入力するための外力判断入力画像の一例を示す図である。
【００１９】
施術支援装置１０のメモリに記憶されるプログラムとしては、上述した各種画像を表示するためのプログラム、クラウドサーバ３０との間でデータを授受するためのプログラム、レセプト対象となる部位の組合せ候補を生成するためのプログラム、レセプトを生成するためのプログラム等が存在する。これらのプログラムは施術支援システム１を運営する業者等が指定するサーバからダウンロードし、インストールすることができる。施術支援装置１０のＣＰＵが記憶装置に記憶されたプログラムを実行することにより、図２０に示す各機能ブロックが施術支援装置１０に実現される。
【００２０】
人体図表示部１１は、人体を模式的に表す人体図を部位ごとに区分して画像を含んだ不調部位選択画像Ｄ２（図２参照）を施術支援装置１０のディスプレイに表示させる。図２に例示する不調部位選択画像Ｄ２では、人体図として、人体を正面から見た図が左側に表示され、人体を背面から見た図が右側に表示されている。それぞれの人体図は、頚部・頭部・顔面部、体幹・脊柱、肩・背部、腕・手、腱部・臀部、脚部・足部に区分されている。また、これらの区分された各部位を把握しやすいように、各部位にそれぞれ対応付けた輪郭マーク（部位マーク）２２が人体図に重ねて表されている。各部位の輪郭マーク２２は、例えば、部位ごとに異なる色で表示されている。
【００２１】
施術者又は患者は、各部位の輪郭マーク２２を参照しながら、人体図における複数の部位の中から、患者の不調を感じる箇所に対応した１つまたは複数の部位をタップ又はクリックすることにより選択する。１つまたは複数の部位が選択されたことを検知した人体図表示部１１は、選択済みであることが識別できるように、選択された部位に対応する輪郭マーク２２の内部を着色して表示させる。
【００２２】
なお、図２に示す人体図の部位の区分けの仕方は一例であり、区分する部位の数を増やしてもよいし、減らしてもよい。また、選択された部位の輪郭マーク２２の内部に着色して表示する代わりに、例えば、部位の内部に何らかの選択済みマーク（例えば＊印など）をつけてもよいし、部位の内部に網掛けなどの模様を付してもよい。
【００２３】
不調パターン提示部１２は、不調部位選択画像Ｄ２に表示された人体図の部位の中から患者が不調を感じる１つまたは複数の部位が選択され、不調部位選択画像Ｄ２の右上に表示されたパターン選択ボタン２１が選択されたことを検知すると、選択された不調部位に関連する１つまたは複数の不調パターンを示す不調パターン表示画像Ｄ３（図３参照）を施術支援装置１０のディスプレイに表示させる。
【００２４】
この不調パターン表示画像Ｄ３の左側には不調部位選択画像Ｄ２で表示されていた人体図が縮小して表示されており、不調パターン提示部１２は、その人体図の着色されている部位のうち、ポインター３２が指している部位に関連する不調パターンの一覧を施術支援装置１０のディスプレイに表示させる。ポインター３２の指す部位はタップ等によって適宜変更することができる。
【００２５】
患者または施術者は、表示された不調パターンの一覧の中から、患者が不調を感じている不調パターンを１つまたは複数選択することができる。各不調パターンには、それぞれの筋の名称（例えば「僧帽筋（右）」など）が併せて表示されている。また、各不調パターンには、その筋に対応して痛みなどの不調を感じる可能性のある範囲が人体図の部分図に重ねて着色して示されており、この着色表示は、痛みなどの不調を感じる中心となる箇所をより濃くしたグラデーションで表現されている。このような筋に対応した範囲の着色表示により、患者の不調を感じる部位をより特定しやすくなる。
【００２６】
自覚筋関連情報提示部１３は、不調パターン表示画像Ｄ３から不調パターンが選択されると、その不調パターンに関連する関連筋情報、動作情報、徒手検査情報等を施術支援装置１０のディスプレイに表示させる。図５の理学検査画像Ｄ５に示すように、選択された不調パターンである自覚筋の情報と、その自覚筋に関連する筋である関連筋の情報と、自覚筋に関連する動作の情報と、自覚筋に関連する徒手検査の情報が表示される。
【００２７】
図５に例示する理学検査画像Ｄ５では、最も左側の第１列目の領域Ｒ１に自覚筋の情報が４種類表示され、第２列目の領域Ｒ２に関連筋の情報が複数種類表示され、第３列目の領域Ｒ３に関連動作の情報が複数種類表示され、第４列目の領域Ｒ４に関連徒手検査の情報が複数種類表示されている。ここで、「関連筋の情報」とは、患者が選択した不調パターン、すなわち患者自らが自覚している自覚筋に関連し、さらに不調を生じる可能性がある筋に関する情報である。「関連動作の情報」とは、その動作の際に自覚筋を使う動作に関する情報である。「関連徒手検査の情報」とは、自覚筋に不具合があるかどうかを判定するために施術者が行うべき徒手検査に関する情報である。
【００２８】
理学検査画像Ｄ５（図５参照）、自覚筋リンク情報表示画像Ｄ６（図６参照）、関連筋リンク情報表示画像Ｄ７（図７参照）、関連動作リンク情報表示画像Ｄ８（図８参照）、及び関連徒手検査リンク情報表示画像Ｄ９（図９参照）として表示されている各情報には、リンクマーク５１が対応付けて表示されている。本実施形態では、各情報の表示領域の右上にリンクマーク５１が表示されている。
【００２９】
リンク情報提示部１４は、リンクマーク５１が選択された場合、そのリンクマーク５１に対応付けられている各情報に関連する情報を施術支援装置１０のディスプレイに表示させる。詳細には、例えば、第１列目の領域Ｒ１に表示された自覚筋の情報に対応付けられたリンクマーク５１が選択された場合、リンク情報提示部１４は、例えば図６の自覚筋リンク情報表示画像Ｄ６に示すように、自覚筋に関連する関連筋の情報と、自覚筋に関連する動作の情報と、自覚筋に関連する徒手検査の情報と、を施術支援装置１０のディスプレイに表示させる。
【００３０】
図６に示す自覚筋リンク情報表示画像Ｄ６は、自覚筋の１つとして「僧帽筋」の情報が表示されている状態のときに、その僧帽筋に対応付けられたリンクマーク５１が選択された場合の表示例である。この自覚筋リンク情報表示画像Ｄ６では、「僧帽筋」に関連する関連筋の情報が第２例目の領域Ｒ２に表示され、「僧帽筋」に関連する動作の情報が第３列目の領域Ｒ３に表示され、「僧帽筋」を使用する動作が含まれる徒手検査の情報が第４列目の領域Ｒ４に表示されている。
【００３１】
また、第２列目の領域Ｒ２に表示された「関連筋」の情報に対応付けられたリンクマーク５１が選択された場合、リンク情報提示部１４は、例えば図７の関連筋リンク情報表示画像Ｄ７に示すように、その関連筋に関連する動作の情報と、その関連筋に関連する徒手検査の情報と、その関連筋に関連する筋の情報と、を施術支援装置１０のディスプレイに表示させる。
【００３２】
図７に示す関連筋リンク情報表示画像Ｄ７は、第２列目の領域Ｒ２に表示されている「胸鎖乳突筋」に対応付けられたリンクマーク５１が選択された場合の表示例である。この関連筋リンク情報表示画像Ｄ７では、「胸鎖乳突筋」に関連する関連筋の情報が第２例目の領域Ｒ２に表示され、「胸鎖乳突筋」に関連する動作の情報が第３列目の領域Ｒ３に表示され、「胸鎖乳突筋」を使用する動作が含まれる徒手検査の情報が第４列目の領域Ｒ４に表示されている。
【００３３】
また、第３列目の領域Ｒ３に表示された動作の情報に対応付けられたリンクマーク５１が選択された場合、リンク情報提示部１４は、例えば図８の関連動作リンク情報表示画像Ｄ８に示すように、その動作に関連する筋の情報と、その動作に関連する徒手検査の情報と、を施術支援装置１０のディスプレイに表示させる。
【００３４】
図８に示す関連動作リンク情報表示画像Ｄ８は、第３列目の領域Ｒ３に表示されている動作「頚部側屈」に対応付けられたリンクマーク５１が選択された場合の表示例である。この関連動作リンク情報表示画像Ｄ８では、「頚部側屈」の際に使用される関連筋の情報が第２例目の領域Ｒ２に表示され、「頚部側屈」が含まれる徒手検査の情報が第４列目に表示されている。
【００３５】
また、第４列目の領域Ｒ４に表示された徒手検査の情報に対応付けられたリンクマーク５１が選択された場合、リンク情報提示部１４は、例えば図９の関連徒手検査リンク情報表示画像Ｄ９に示すように、その徒手検査に関連する筋の情報と、その徒手検査に関連する動作の情報と、を施術支援装置１０のディスプレイに表示させる。
【００３６】
図９に示す関連徒手検査リンク情報表示画像Ｄ９は、第４列目の領域Ｒ４に表示されている「スパーリングテスト」に対応付けられたリンクマーク５１が選択された場合の表示例である。この関連徒手検査リンク情報表示画像Ｄ９では、「スパーリングテスト」により検査可能な筋の情報が第１列目の領域Ｒ１及び第２例目の領域Ｒ２に表示され、「スパーリングテスト」に含まれる動作の情報が第３列目の領域Ｒ３に表示されている。この関連徒手検査リンク情報表示画像Ｄ９において、第１列目の領域Ｒ１及び第２例目の領域Ｒ２の中から不調パターンを選択することができる。
【００３７】
このように、施術者は、理学検査画像Ｄ５、及び理学検査画像Ｄ５から遷移した各種画像（自覚筋リンク情報表示画像Ｄ６、関連筋リンク情報表示画像Ｄ７、関連動作リンク情報表示画像Ｄ８、及び関連徒手検査リンク情報表示画像Ｄ９）に表示された各情報に対応付けられているリンクマーク５１を適宜選択することで、そのリンクマーク５１に対応付けられている情報に関連する各種情報を一覧で参照することができるため、施術者の経験や知識の差によらず、より的確な検査、診断及び施術を行うことが可能となる。
【００３８】
急性情報提示部１５は、患者が不調を訴えた部位の中から急性と考えられる部位（急性部位）の候補を判定し、例えば図１６の急性情報表示画像Ｄ１２に示すように、１つまたは複数の急性部位の候補を施術支援装置１０のディスプレイに表示させる。ここで、「急性部位」とは、患者に不調の自覚症状があり、かつ動作テストや徒手検査などの理学検査により陽性と判定された部位をいう。
【００３９】
図１６に示す急性情報表示画像Ｄ１２の例では、急性部位の候補は、その部位に対応付けられた輪郭マーク１２３の内部が相対的に濃色とした強調表示で示されている。
【００４０】
急性情報表示画像Ｄ１２の所定ボタンを選択すると、図１７に示すレセプト部位選択画像Ｄ１３に遷移する。各急性部位の候補に対してそれぞれ輪郭マーク１３２が重ねて表されている。施術者は、レセプト部位選択画像Ｄ１３に示された急性部位の候補の中から、自己の判断でレセプトの対象とする急性部位をタップ、クリック等の操作を行うことにより選択することができる。図示の例では、選択された急性部位に対応する輪郭マーク１３２の内部が相対的に濃色とした強調表示で示されている。なお、レセプト部位選択画像Ｄ１３に表示された所定ボタンが選択された場合には、図１８に示すレセプト部位候補選択画像Ｄ１４に遷移する。
【００４１】
レセプト候補提示部１６は、選択された１つまたは複数の急性部位の候補中から、予め設定されたルールに基づいてレセプト対象となる急性部位の組合せを判定し、例えばレセプト部位候補選択画像Ｄ１４に示すように、レセプト対象となる部位の組合せ候補の一覧を施術支援装置１０のディスプレイに表示させる。図１８に示す表示例では、急性部位は、人体の正面図においては隣接して８個存在し、背面図においては２個存在する。ここで、例えば、隣接する２つの部位についてはレセプト対象とすることができないという基準（取り決め）があるとすると、レセプト候補提示部１６は、例えば、右足部から順に１つおきの部位をレセプト対象となる組合せ候補として表示させるとともに、腰付近の１つの部位をレセプト対象となる組み合わせ候補として表示させる。施術者は、レセプト部位候補選択画像Ｄ１４に表示された組合せ候補の中から、１つの組合せ候補をレセプト対象として選択することができる。
【００４２】
なお、急性部位が１つのみであり、レセプト対象となる部位が１つしか存在しない場合には、レセプト候補提示部１６はレセプト対象となる部位の組合せ候補としてその１つの急性部位のみ施術支援装置１０のディスプレイに表示させる。また、レセプト対象となる組合せ候補が複数存在する場合には、レセプト候補提示部１６は、請求可能な診療報酬額が大きくなる順にレセプト対象となる組合せ候補を配列して表示させるようにしてもよいし、請求可能な診療報酬額が最も大きい組合せ候補が何れであるが判るように表示させてもよい。レセプト部位候補選択画像Ｄ１４において所定ボタンを選択すると、図１７に示すレセプト部位選択画像Ｄ１３に遷移する。
【００４３】
レセプト生成部１７は、レセプト部位選択画像Ｄ１３においてレセプト対象とする急性部位が選択された場合、その選択された急性部位を診療報酬の請求対象とするレセプト情報を生成する。また、レセプト部位候補選択画像Ｄ１４においてレセプト対象となる組合せ候補の中から１つの組合せ候補が選択された場合、レセプト生成部１７は、選択された組合せ候補に含まれる急性部位を診療報酬の請求対象とするレセプト情報を生成する。そして、レセプト生成部１７は、生成したレセプト情報を印刷するためのデータをプリンター２０に出力する。プリンター２０は、施術支援装置１０のレセプト生成部１７から受信したデータに基づいてレセプトを印刷する。また、レセプト生成部１７は、レセプト情報を診療報酬の支払機関の情報処理装置（図示略）へ送信するとともに、クラウドサーバ３０へ送信する。
【００４４】
（動作）
次に、図２１に示すフローチャートを参照して、接骨院に患者が来院した際に施術支援システム１において行われる動作例を説明する。なお、施術に先立ち、例えばその日の開院前に施術支援装置１０からクラウドサーバ３０へ接続し、患者認証が行われているものとする。このようにすることで、例えばクラウドサーバ３０を運営する企業等が会員として認める患者の施術支援装置１０にのみ、その動作に必要なデータを提供し、会員以外のもの（例えば、脱会した者等）にはデータを提供しないようにすることができる。
【００４５】
施術者等の操作に応じて、施術支援装置１０の人体図表示部１１は、施術支援装置１０のディスプレイに不調部位選択画像Ｄ２（図２参照）を表示させる（ステップＳ１）。
【００４６】
施術者は、患者に対して問診を行いながら、不調部位選択画像Ｄ２に表示されている人体図の部位の中から、患者に自身が不調を感じている部位（不調部位）に対応する輪郭マーク２２を選択させる。なお、不調部位に対応する輪郭マーク２２の選択は、患者から不調部位を聞き取った施術者が行ってもよい。ディスプレイに対するタップ等の操作により不調部位に対応する輪郭マーク２２が選択されると、人体図表示部１１は、選択された部位の輪郭マーク２２の内部を着色して表示する。例えば、輪郭マーク２２の表示色を同じ色に輪郭マーク２２内を変化させる。
【００４７】
不調部位に対応する輪郭マーク２２が１つ以上選択され、施術者により不調部位選択画像Ｄ２に表示されているボタン２１が選択されると、不調パターン提示部１２は、選択された輪郭マーク２２に対応する不調部位に関連する１つまたは複数の不調パターンを表示するためのデータをクラウドサーバ３０から取得し、図３に示すような不調パターン表示画像Ｄ３を施術支援装置１０のディスプレイに表示させる（ステップＳ２）。例えば、いずれか１つの不調部位に対応する不調パターンが表示されるとともに、その左側に、現在選択されている不調部位を示すポインター３２が人体図とともに表示される。
【００４８】
患者または施術者は、不調パターン表示画像Ｄ３に表示された不調パターンの一覧の中から患者が不調を感じる不調パターンを選択する。不調パターンが選択されると、施術者は、不調パターン表示画像Ｄ３の右上に表示されたボタン３１を押下する。ボタン３１が押下されると、不調パターン提示部１２は、図４に示すような不調パターン確認画像Ｄ４を施術支援装置１０のディスプレイに表示させる。
【００４９】
不調パターン確認画像Ｄ４に表示された不調パターンを確認し、患者が不調を感じている不調パターンが表示されていることを確認できた場合には、施術者は、不調パターン確認画像Ｄ４上の確定ボタン４１を押下する。確定ボタン４１が押下されると、自覚筋関連情報提示部１３は、不調パターンに関連する関連筋情報、動作情報、徒手検査情報等を表示するためのデータをクラウドサーバ３０から取得し、これらの情報を含んだ理学検査画像Ｄ５（図５参照）を施術支援装置１０のディスプレイに表示させる（ステップＳ３）。
【００５０】
この理学検査画像Ｄ５を参照しつつ、施術者は、患者に対して各部位に対応した徒手検査を行う（ステップＳ４）。施術者は、動作テストや徒手検査などの理学検査による検査結果が陽性か陰性かを確認し、図１０に示すような検査結果画像Ｄ１０を用いて検査結果を入力する。検査結果の入力が完了すると、施術者は、検査結果画像Ｄ１０の所定ボタンを押下する。それにより、施術支援装置１０は、入力された検査結果のデータをクラウドサーバ３０に送信する。クラウドサーバ３０は、施術支援装置１０から受信した検査結果のデータを記憶装置に保存する。
【００５１】
施術者は、患者の診察が終了した後に、レセプトを生成するために、図１６に示す急性情報画像Ｄ１２を表示させる操作を行う。これにより、急性情報提示部１５は、患者の急性部位の候補を判定し、急性部位の候補に対応する輪郭マーク１２３を含んだ急性情報画像Ｄ１２を施術支援装置１０のディスプレイに表示させる（ステップＳ５）。
【００５２】
施術者は、この急性情報画像Ｄ１２において、負傷日入力欄に急性部位の負傷日を入力した後、レセプト部位選択ボタンを押下する。レセプト部位選択ボタンが押下されると、施術支援装置１０の急性情報提示部１５は、レセプト部位選択画像Ｄ１３（図１７参照）をディスプレイに表示させる。
【００５３】
施術者は、レセプト部位選択画像Ｄ１３に表示された急性部位の候補の中から、レセプトの対象とする急性部位に対応する輪郭マーク１２３を選択する。これにより、レセプト生成部１７は、その選択された輪郭マーク１２３に対応する急性部位に基づいてレセプト情報を生成する（ステップＳ６）。生成されたレセプト情報は、適宜プリンター２０により印刷される。また、レセプト情報は、クラウドサーバ３０へ送信され、クラウドサーバ３０において記憶される。
【００５４】
なお、レセプトの対象となる組合せ候補からレセプト対象とする急性部位を自動的に選択させる場合には、施術者はレセプト部位選択画像Ｄ１３に表示された自動選択ボタンを選択する。自動選択ボタンが押下されると、レセプト候補提示部１６は、レセプト部位候補選択画像Ｄ１４を施術支援装置１０のディスプレイに表示させる。施術者は、表示された組合せ候補の一覧の中から１つの組合せ候補を選択する。これにより、レセプト生成部１７は、選択された組合せ候補に含まれる急性部位に基づいて診療報酬を請求するためのレセプト情報を生成する。
【００５５】
以上説明したように、施術支援装置１０において図２に示す不調部位選択画像Ｄ２が表示されるため、整骨院に来院した患者は、不調部位選択画像Ｄ２に提示された部位の中から自己の不調部位を選択することで、自己の不調部位を施術者に的確に伝達することができる。また、施術者は患者との言葉によるコミュニケーションによって患者の不調部位を的確に把握できない場合にも、不調部位選択画像Ｄ２を利用することで、患者が不調を感じている部位を適格に把握することができる。
【００５６】
また、不調部位選択画像Ｄ２に表示された部位の中から患者が不調を感じている部位が選択された場合、不調パターン表示画像Ｄ３が表示されるため、患者は不調パターン表示画像Ｄ３に表示された不調パターンの一覧を見て、自己が不調を感じている筋が何れであるかを視覚的に確認することができる。また、施術者の経験や知識の差によらず、患者が不調を感じている筋を適格に把握することができる。
【００５７】
また、理学検査画像Ｄ５には、患者が選択した不調パターン（自覚筋）に関連する関連筋、関連動作及び関連徒手検査が表示されるため、施術者は、患者の自覚筋に関連する情報を容易に把握することができる。
【００５８】
また、各情報に対応付けられたリンクマーク５１が選択された場合、その情報に関連する筋の情報、動作の情報、徒手検査の情報等が一覧で表示されるため、施術者は、知識や経験が低くても、各情報の関連情報を参照して適切な検査を行い施術に役立てることができる。
【００５９】
また、施術者は、不調部位選択画像Ｄ２、不調パターン表示画像Ｄ３、理学検査画像Ｄ５等に提示された情報を参照しながら、患者とコニュニケーションを図ることができ、よりよい治療に役立てることができる。
【００６０】
また、施術者がレセプト部位選択画像Ｄ１３に表示されたレセプト対象となる急性部位の中から、施術者がレセプト対象とする部位を選択することで、レセプトを容易に作成することができる。また、レセプト部位候補選択画像Ｄ１４に表示されたレセプトの対象となる部位の組合せ候補の一覧の中から施術者が何れかの組合せ候補を選択することで、レセプトを容易に作成することができる。
【００６１】
なお、レセプト部位選択画像Ｄ１３及びレセプト部位候補選択画像Ｄ１４ともに、施術者による入力が必要となるが、施術支援装置１０がレセプト対象とする部位を一定のルールに従って自動選択することで、レセプト対象とする部位の選択を完全に自動化するようにしてもよい。
【００６２】
例えば、図２２に示すように、施術支援装置１０の機能ブロックとして、レセプト部位自動選択部１８を設けてもよい。この機能ブロックは施術支援装置１０のＣＰＵがメモリに記憶されたプログラムを実行することにより実現される。レセプト部位自動選択部１８は、急性部位の候補の中から、一定のルールに従ってレセプト対象とする急性部位を選択する。「一定のルール」としては、例えば、患者の急性部位が隣接して３つ以上存在する場合、レセプト対象とする部位として、相互に部位が隣接しないように最も多くの部位を選択するといったルールが考えられる。また、メモリに予め設定できるデータとして「レセプト生成モード」を設けて、この「完全自動」モードと、図１７に示すレセプト部位選択画像Ｄ１３で施術者が１つずつ部位を選択する「手動」モードと、図１８に示すレセプト部位候補選択画像Ｄ１４で施術者が何れかの組合せ候補を選択する「自動」モードと、の何れかを「レセプト生成モード」として設定しておいてもよい。
【００６３】
また、患者情報、カルテ情報およびレセプト情報はクラウドサーバ３０で一括管理されるため、患者を担当する施術者が変更される場合等にスムーズに引き継ぎを行うことができる。
【００６４】
また、施術支援システム１を教育ツールとしても利用することができる。カルテ画像Ｄ１１においてどの患者にどのような施術を行ったのか等が確認できるため、教育を受ける者の理解が深まる。また、施術支援システム１は、レセプト生成の機能を除いて、接骨院のみならず整体院でも利用することができる。
【００６５】
なお、本発明は上述した各実施形態の内容に限定されるものではなく、本発明の要旨の範囲内において種々に変形して実施をすることが可能である。例えば、上述した実施形態で説明した画像のレイアウトは一例に過ぎず、文字や図形の表示位置は任意に変更することができる。また、上述した実施形態では、不調パターン、関連筋、動作、徒手検査等の情報を画像に表示したが、これらの情報を画像に表示せずに、例えば音声ガイダンスにより提示してもよい。
【００６６】
また、上記した実施形態では、患者情報、カルテ情報およびレセプト情報はクラウドサーバ３０に記憶されていたが、これら情報の一部または全部は、整骨院等の院内に設置されて施術支援装置１０と相互に通信可能に接続される院内サーバ（図示略）に記憶されてもよいし、クラウドサーバ３０と院内サーバの双方に記憶されてもよい。
【００６７】
また、上記した実施形態では、クラウドサーバ３０から都度取得したデータを用いて施術支援装置１０における各種画像を表示していたが、予め画像表示に必要なデータを施術支援装置１０に記憶させておき、施術中は施術支援装置１０をクラウドサーバ３０に接続することなくスタンドアロンで使用できるようにしてもよい。
【００６８】
また、上記した実施形態では、汎用的なタブレット型などの情報処理装置にプログラムをインストールすることによって施術支援装置が構成されていたが、予めプログラムを組み込んだ専用装置として施術支援装置が構成されていてもよい。
【００６９】
また、本発明の適用対象は上記した整骨院に限定されることなく、整骨、接骨、整体、マッサージ、鍼灸などボディワーク全般を適用対象とすることができる。
【符号の説明】
【００７０】
１：施術支援システム
１０：施術支援装置
１１：人体図表示部
１２：不調パターン提示部
１３：自覚筋関連情報提示部
１４：リンク情報提示部
１５：急性情報提示部
１６：レセプト候補提示部
１７：レセプト生成部
１８：レセプト部位自動選択部
２０：プリンター
３０：サーバ
４０：通信ネットワーク
Ｄ２：不調部位選択画像
Ｄ３：不調パターン表示画像
Ｄ４：不調パターン確認画像
Ｄ５：理学検査画像
Ｄ６：自覚筋リンク情報表示画像
Ｄ７：関連筋リンク情報表示画像
Ｄ８：関連動作リンク情報表示画像
Ｄ９：関連徒手検査リンク情報表示画像
Ｄ１０：検査結果画像
Ｄ１１ａ、Ｄ１１ｂ、Ｄ１１ｃ、Ｄ１１ｄ、Ｄ１１ｅ：カルテ画像
Ｄ１２：急性情報表示画像
Ｄ１３：レセプト部位選択画像
Ｄ１４：レセプト部位候補選択画像
Ｄ１５：外力判断入力画像
Ｒ１：第１列目の領域
Ｒ２：第２列目の領域
Ｒ３：第３列目の領域
Ｒ４：第４列目の領域
【図１】
2019079515.tif 000003
【図２】
2019079515.tif 000004
【図３】
2019079515.tif 000005
【図４】
2019079515.tif 000006
【図５】
2019079515.tif 000007
【図６】
2019079515.tif 000008
【図７】
2019079515.tif 000009
【図８】
2019079515.tif 000010
【図９】
2019079515.tif 000011
【図１０】
2019079515.tif 000012
【図１１】
2019079515.tif 000013
【図１２】
2019079515.tif 000014
【図１３】
2019079515.tif 000015
【図１４】
2019079515.tif 000016
【図１５】
2019079515.tif 000017
【図１６】
2019079515.tif 000018
【図１７】
2019079515.tif 000019
【図１８】
2019079515.tif 000020
【図１９】
2019079515.tif 000021
【図２０】
2019079515.tif 000022
【図２１】
2019079515.tif 000023
【図２２】
2019079515.tif 000024
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
入力部と表示部を備える情報処理装置と、
前記情報処理装置と相互に通信可能に接続されたサーバと、
を含み、
前記情報処理装置は、
前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させる手段と、
前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成する手段と、を備える、
施術支援システム。
【請求項２】
前記急性部位の組み合わせ候補の一覧において、当該組み合わせ候補は請求可能な診療報酬額が大きくなる順に配列される、
請求項１に記載の施術支援システム。
【請求項３】
入力部と表示部を備える情報処理装置と、
前記情報処理装置と相互に通信可能に接続されたサーバと、
を含み、
前記情報処理装置は、
前記入力部を用いての理学検査の結果の入力を受けて患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成する手段と、を備え、
前記所定の基準は、選択される前記急性部位の中に他の前記急性部位と隣接するものが存在しないようにするという条件下で当該選択される前記急性部位の数が最も多くなるようにするという基準である、
施術支援システム。
【請求項４】
入力部と表示部を備える情報処理装置を用いて構成される施術支援装置であって、
前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させる手段と、
前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成する手段と、を備える、
施術支援装置。
【請求項５】
前記急性部位の組み合わせ候補の一覧において、当該組み合わせ候補は請求可能な診療報酬額が大きくなる順に配列される、
請求項４に記載の施術支援装置。
【請求項６】
入力部と表示部を備える情報処理装置を用いて構成される施術支援装置であって、
前記入力部を用いての理学検査の結果の入力を受けて患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成する手段と、
を備え、
前記所定の基準は、選択される前記急性部位の中に他の前記急性部位と隣接するものが存在しないようにするという条件下で当該選択される前記急性部位の数が最も多くなるようにするという基準である、
施術支援装置。
【請求項７】
入力部、表示部及び制御部を備えた情報処理装置を用いる施術支援方法であって、
前記制御部が、前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させるステップと、
前記制御部が、前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成するステップと、を含む、
施術支援方法。
【請求項８】
前記急性部位の組み合わせ候補の一覧において、当該組み合わせ候補は請求可能な診療報酬額が大きくなる順に配列される、
請求項７に記載の施術支援方法。
【請求項９】
入力部、表示部及び制御部を備えた情報処理装置を用いる施術支援方法であって、
前記制御部が、前記入力部を用いた理学検査の結果の入力を受けて前記患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成するステップと、
を含み、
前記所定の基準は、選択される前記急性部位の中に他の前記急性部位と隣接するものが存在しないようにするという条件下で当該選択される前記急性部位の数が最も多くなるようにするという基準である、
施術支援方法。
【請求項１０】
請求項７〜９の何れか１項に記載の施術支援方法における各ステップを、入力部、表示部及び制御部を備えた情報処理装置において当該制御部に実行させるプログラム。
【手続補正２】
【補正対象書類名】明細書
【補正対象項目名】０００６
【補正方法】変更
【補正の内容】
【０００６】
本発明に係る具体的態様は、整骨院・鍼灸院等において、施術者の経験や知識の差に拘わらず患者が不調を感じている部位を的確に把握することを可能とする技術を提供することを目的の１つとする。
本発明に係る他の具体的態様は、レセプトを容易に生成することを可能とする技術を提供することを目的の１つとする。
【手続補正３】
【補正対象書類名】明細書
【補正対象項目名】０００７
【補正方法】変更
【補正の内容】
【０００７】
［１］本発明に係る一態様の施術支援システムは、入力部と表示部を備える情報処理装置と、前記情報処理装置と相互に通信可能に接続されたサーバと、を含み、前記情報処理装置は、前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させる手段と、前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成する手段と、を備える、施術支援システムである。
［２］本発明に係る一態様の施術支援システムは、入力部と表示部を備える情報処理装置と、前記情報処理装置と相互に通信可能に接続されたサーバと、を含み、前記情報処理装置は、前記入力部を用いての理学検査の結果の入力を受けて患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成する手段と、を備え、前記所定の基準は、選択される前記急性部位の中に他の前記急性部位と隣接するものが存在しないようにするという条件下で当該選択される前記急性部位の数が最も多くなるようにするという基準である、施術支援システムである。
［３］本発明に係る一態様の施術支援装置は、入力部と表示部を備える情報処理装置を用いて構成される施術支援装置であって、前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させる手段と、前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成する手段と、を備える、施術支援装置である。
［４］本発明に係る一態様の施術支援装置は、入力部と表示部を備える情報処理装置を用いて構成される施術支援装置であって、前記入力部を用いての理学検査の結果の入力を受けて患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成する手段と、を備え、前記所定の基準は、選択される前記急性部位の中に他の前記急性部位と隣接するものが存在しないようにするという条件下で当該選択される前記急性部位の数が最も多くなるようにするという基準である、施術支援装置である。
［５］本発明に係る一態様の施術支援方法は、入力部、表示部及び制御部を備えた情報処理装置を用いる施術支援方法であって、前記制御部が、前記制御部が、前記入力部を用いての理学検査の結果の入力を受けて患者の１つ以上の急性部位の候補を求め、当該候補の中から、隣接する前記急性部位が存在しないという条件を満たす当該急性部位の組合せ候補の一覧を前記表示部に表示させるステップと、前記制御部が、前記組合せ候補の一覧の中から何れかが前記入力部を用いて選択されたときに、当該選択された組合せ候補に含まれる前記急性部位に基づいて診療報酬を請求するための情報を含む電子情報であるレセプト情報を生成するステップと、を含む、施術支援方法である。
［６］本発明に係る一態様の施術支援方法は、入力部、表示部及び制御部を備えた情報処理装置を用いる施術支援方法であって、前記制御部が、前記入力部を用いた理学検査の結果の入力を受けて患者の１つ以上の急性部位の候補を求め、当該候補の中から所定の基準に従ってレセプト対象とする前記急性部位を自動選択し、当該自動選択した急性部位に基づいて診療報酬を請求するための情報を含む電子情報であるレセプト情報を生成するステップと、を含み、前記所定の基準は、選択される前記急性部位の中に他の前記急性部位と隣接するものが存在しないようにするという条件下で当該選択される前記急性部位の数が最も多くなるようにするという基準である、施術支援方法である。
［７］本発明に係る一態様のプログラムは、上記の施術支援方法における各ステップを、入力部、表示部及び制御部を備えた情報処理装置において当該制御部に実行させるプログラムである。
【手続補正４】
【補正対象書類名】明細書
【補正対象項目名】０００８
【補正方法】変更
【補正の内容】
【０００８】
上記した何れかの構成によれば、レセプトを容易に生成することができる。
【手続補正５】
【補正対象書類名】明細書
【補正対象項目名】０００９
【補正方法】変更
【補正の内容】
【０００９】
【図１】図１は、本実施形態の施術支援システムの全体構成を示すブロック図である。
【図２】図２は、不調部位選択画像の表示例を示す図である。
【図３】図３は、不調パターン表示画像の表示例を示す図である。
【図４】図４は、不調パターン確認画像の表示例を示す図である。
【図５】図５は、理学検査画像の表示例を示すである。
【図６】図６は、自覚筋リンク情報表示画像の表示例を示すである。
【図７】図７は、関連筋リンク情報画像の表示例を示すである。
【図８】図８は、関連動作リンク情報表示画像の表示例を示すである。
【図９】図９は、関連徒手検査リンク情報表示画像の表示例を示すである。
【図１０】図１０は、検査結果画像の表示例を示すである。
【図１１】図１１は、カルテ画像の表示例を示すである。
【図１２】図１２は、カルテ画像の表示例を示すである。
【図１３】図１３は、カルテ画像の表示例を示すである。
【図１４】図１４は、カルテ画像の表示例を示すである。
【図１５】図１５は、カルテ画像の表示例を示すである。
【図１６】図１６は、急性情報表示画像の表示例を示すである。
【図１７】図１７は、レセプト部位選択画像の表示例を示すである。
【図１８】図１８は、レセプト部位候補選択画像の表示例を示すである。
【図１９】図１９は、外力判断入力画像の表示例を示すである。
【図２０】図２０は、施術支援装置の機能構成を示すブロック図である。
【図２１】図２１は、施術支援システムにおける動作例を示すフローチャートである。
【図２２】図２２は、変形例の施術支援装置の機能構成を示すブロック図である。